(57)【要約】  【課題】  光ファイバケーブルの断線であるか中継器の障害であるかを識別することができ、中継器を切り替えることで伝送路を切り替えることができる車載用光通信二重化システムを提供する。  【解決手段】  主伝送路と副伝送路とで構成してある二重化伝送路と、主伝送路を介して複数の車載機器とデータ送受信可能に接続してある主中継器と、副伝送路を介して複数の車載機器とデータ受信のみ可能に接続してある副中継器と、主中継器と副中継器とを相互にデータ送受信可能に接続する伝送路とを備え、副中継器は、複数の車載機器が光信号を送信したか否かを判定し、送信していないと判定した場合、主中継器が正常に動作しているか否かを判定し、主中継器が正常に動作していないと判定した場合、伝送路を主伝送路から副伝送路に切り替える。【選択図】        図３
2006081127.tif 000002
【特許請求の範囲】
【請求項１】
接続してある複数の車載機器の動作を光信号により制御する車載用光通信二重化システムにおいて、
主伝送路と副伝送路とで構成してある二重化伝送路と、
主伝送路を介して前記複数の車載機器とデータ送受信可能に接続してある主中継器と、
副伝送路を介して前記複数の車載機器とデータ受信のみ可能に接続してある副中継器と、
前記主中継器と前記副中継器とを相互にデータ送受信可能に接続する伝送路とを備え、
前記副中継器は、
前記複数の車載機器が光信号を送信したか否かを判定する第１の判定手段と、
該第１の判定手段で送信していないと判定した場合、前記主中継器が正常に動作しているか否かを判定する第２の判定手段と、
該第２の判定手段で前記主中継器が正常に動作していないと判定した場合、伝送路を主伝送路から副伝送路に切り替える切り替え手段と
を備えることを特徴とする車載用光通信二重化システム。
【請求項２】
前記第１の判定手段は、
前記複数の車載機器が送信した光信号を受信してから次の光信号を受信するまでの時間を計時する手段と、
該手段で計時した時間が所定の時間より長いか否かを判定する手段と、
該手段で所定の時間より長いと判定した場合、光信号を送信していないと判定するよう構成してあることを特徴とする請求項１記載の車載用光通信二重化システム。
【請求項３】
前記複数の車載機器間は、時分割多重型の通信プロトコルを用いて光通信するよう構成してあり、
前記所定の時間は、１フレーム当たりの受信時間間隔の最大値であることを特徴とする請求項１又は２記載の車載用光通信二重化システム。
【請求項４】
前記第２の判定手段は、前記伝送路を介して前記主中継器に対して稼動確認信号を送信し、前記主中継器から前記稼動確認信号に対する応答信号を受信するか否かで判定するよう構成してあることを特徴とする請求項１乃至３のいずれか一項に記載の車載用光通信二重化システム。
【請求項５】
前記複数の車載機器と主伝送路又は副伝送路とを接続する通信インタフェースをそれぞれ二重化してあることを特徴とする請求項１乃至４記載の車載用光通信二重化システム。
【発明の詳細な説明】
【技術分野】
【０００１】
本発明は、光信号を用いて接続してある複数の車載機器の動作を制御する車載用光通信二重化システムに関する。
【背景技術】
【０００２】
車両の電子制御が進展するに伴い、制御信号の高速通信又は信号劣化の防止を目的として、車内に搭載されている車載機器の動作を制御する電子制御ユニット（以下、ＥＣＵ）を光ファイバケーブルで接続し、電気信号を光信号に変換して高速通信を行う光通信システムを搭載する車両が開発されている。
【０００３】
光ファイバケーブルは、高速通信が可能である、信号が劣化しにくい等のメリットを有する反面、ケーブル内でガラス等の材料を用いて光を反射させる構成であることから、折り曲げ等の外部的な抑圧により、通常のメタルケーブルに比較して断線しやすいというデメリットを有する。斯かるデメリットを克服すべく、従来は、光ファイバケーブルを二重化し、光ファイバケーブルが断線した場合であっても、光信号の伝送路を確保することができる光インタフェースが開発されている。
【発明の開示】
【発明が解決しようとする課題】
【０００４】
しかし、上述した従来の光インタフェースでは、一部が断線しただけであるのか否か、すなわちどの光ファイバケーブルが断線しているのか特定することができない。したがって、一部が断線しているだけであり、車両の安全上重要な部分における断線ではないにもかかわらず、全体の伝送路を切り替えるといった無駄な切り替え処理が発生するおそれがある。
【０００５】
また、どの光ファイバケーブルが断線しているのか特定するためには、光ファイバケーブルの接続部分ごとに障害発生を検知する手段を設ける必要があり、光ファイバケーブルの二重化に加えて、さらなるコストアップ要因となっていた。
【０００６】
さらに、スター型ネットワークを用いて光通信ネットワークを構成する場合、接続してある車載機器への光ファイバケーブルを集約する中継器に障害が発生したときには、すべての機能が停止するおそれがあり、安全上の観点から、中継器を二重化しておく必要度も高い。
【０００７】
本発明は、斯かる事情に鑑みてなされたものであり、光ファイバケーブルの断線であるか中継器の障害であるかを識別することができ、中継器を切り替えることで伝送路を切り替えることができる車載用光通信二重化システムを提供することを目的とする。
【課題を解決するための手段】
【０００８】
上記目的を達成するために第１発明に係る車載用光通信二重化システムは、接続してある複数の車載機器の動作を光信号により制御する車載用光通信二重化システムにおいて、主伝送路と副伝送路とで構成してある二重化伝送路と、主伝送路を介して前記複数の車載機器とデータ送受信可能に接続してある主中継器と、副伝送路を介して前記複数の車載機器とデータ受信のみ可能に接続してある副中継器と、前記主中継器と前記副中継器とを相互にデータ送受信可能に接続する伝送路とを備え、前記副中継器は、前記複数の車載機器が光信号を送信したか否かを判定する第１の判定手段と、該第１の判定手段で送信していないと判定した場合、前記主中継器が正常に動作しているか否かを判定する第２の判定手段と、該第２の判定手段で前記主中継器が正常に動作していないと判定した場合、伝送路を主伝送路から副伝送路に切り替える切り替え手段とを備えることを特徴とする。
【０００９】
また、第２発明に係る車載用光通信二重化システムは、第１発明において、前記第１の判定手段は、前記複数の車載機器が送信した光信号を受信してから次の光信号を受信するまでの時間を計時する手段と、該手段で計時した時間が所定の時間より長いか否かを判定する手段と、該手段で所定の時間より長いと判定した場合、光信号を送信していないと判定するよう構成してあることを特徴とする。
【００１０】
また、第３発明に係る車載用光通信二重化システムは、第１又は第２発明において、前記複数の車載機器間は、時分割多重型の通信プロトコルを用いて光通信するよう構成してあり、前記所定の時間は、１フレーム当たりの受信時間間隔の最大値であることを特徴とする。
【００１１】
また、第４発明に係る車載用光通信二重化システムは、第１乃至第３発明のいずれかにおいて、前記第２の判定手段は、前記伝送路を介して前記主中継器に対して稼動確認信号を送信し、前記主中継器から前記稼動確認信号に対する応答信号を受信するか否かで判定するよう構成してあることを特徴とする。
【００１２】
また、第５発明に係る車載用光通信二重化システムは、第１乃至第４発明のいずれかにおいて、前記複数の車載機器と主伝送路又は副伝送路とを接続する通信インタフェースをそれぞれ二重化してあることを特徴とする。
【００１３】
第１の発明では、伝送路を二重化し、車載機器が送信した光信号を受信していない場合には、光ファイバケーブルまたは中継器に何らかの障害が発生したと判断し、主伝送路に用いている主中継器が正常であるか否かを判定する。主中継器が異常である場合、中継器を切り替えることで、主伝送路を副伝送路へ切り替える。これにより、安全の観点から重要度が低い光ファイバケーブルの断線のみでは、主伝送路を副伝送路へ切り替えることがなく、中継器自体に障害が発生した場合に中継器を切り替えることによって伝送路を切り替える。
【００１４】
第２の発明では、主伝送路を介して光信号を受信してから次の光信号を受信するまでの時間を計時し、計時した時間間隔が所定の時間より長い場合、車載機器が送信した光信号を受信していないと判定し、中継器が正常に稼動しているか否かを確認する。これにより、光信号の受信間隔が所定の時間間隔、例えば正常時に受信する間隔よりも長い場合、光ファイバケーブルまたは中継器に何らかの障害が発生したと判断することができる。
【００１５】
第３の発明では、複数の車載機器間で、時分割多重型の通信プロトコルを用いて通信する場合、光信号の受信間隔を、１フレーム当たりの受信時間間隔の最大値より長いか否かを判定する。これにより、光信号の送受信が正常に行われている場合、光信号の受信間隔は、１フレーム当たりの受信時間間隔の最大値よりは短くなることから、長いと判定された場合には、光ファイバケーブルまたは中継器に何らかの障害が発生したと判断することができる。
【００１６】
第４の発明では、主伝送路を介して接続してある主中継器と、副伝送路を介して接続してある副中継器との間で、稼動確認信号及びそれに対応する応答信号の交換を行う。これにより、両中継器の間で稼動確認信号及び応答信号の交換が正常に行われている場合は、中継器自体に障害は発生していないことを確認することができ、光ファイバケーブルの断線であると判断することができる。
【００１７】
第５の発明では、複数の車載機器と主伝送路又は副伝送路とを接続する通信インタフェースを、それぞれ二重化してある。これにより、通信インタフェースも二重化することができ、車載機器側の通信インタフェース部品に障害が発生した場合であっても、正常な通信インタフェース部品に切り替えることで、より安全に通信を継続することができる。
【発明の効果】
【００１８】
第１の発明によれば、安全の観点から重要度が低い光ファイバケーブルの断線のみでは、主伝送路を副伝送路へ切り替えることがなく、中継器自体に障害が発生した場合に中継器を切り替えることによって伝送路を切り替え、車載機器の動作を確実に制御することが可能となる。また、安全の観点から重要度が高い光ファイバケーブルの接続部分には、従来技術と同様の異常検出手段を備えることにより、車両全体として不要なコストを削減した光通信二重化システムを具現化することが可能となる。
【００１９】
第２の発明によれば、光信号の受信間隔が所定の時間間隔、例えば正常時に受信する間隔よりも長いか否かによって、光ファイバケーブルまたは中継器に何らかの障害が発生したか否かを検知することが可能となる。
【００２０】
第３の発明によれば、車載機器間で時分割多重型の通信プロトコルを用いて通信する場合、光信号の受信間隔が、１フレーム当たりの受信時間間隔の最大値より長い場合、光ファイバケーブルまたは中継器に何らかの障害が発生したと判断することが可能となる。
【００２１】
第４の発明によれば、主伝送路を介して接続してある主中継器と、副伝送路を介して接続してある副中継器との間で、稼動確認信号及びそれに対応する応答信号の交換が正常に行われている場合は、中継器自体に障害は発生しておらず、光ファイバケーブルの断線であると判断することができる。また、稼動確認信号及び応答信号の交換が正常に行われていない場合は、中継器自体に障害が発生しており、中継器を切り替えることで伝送路を切り替え、車載機器の動作を確実に制御することが可能となる。
【００２２】
第５の発明によれば、複数の車載機器と主伝送路又は副伝送路とを接続する通信インタフェースも二重化することにより、車載機器側の通信インタフェース部品に障害が発生した場合であっても、正常な通信インタフェース部品に切り替えることで、より安全に通信を継続することが可能となる。
【発明を実施するための最良の形態】
【００２３】
以下、本発明をその実施の形態を示す図面に基づいて詳述する。
【００２４】
（実施の形態１）
図１は、本発明の実施の形態１に係る車載用光通信二重化システムの構成を示すブロック図である。本発明の実施の形態１に係る車載用光通信二重化システムは、エンジンＥＣＵ、フロントサスＥＣＵ等の複数の車載機器を接続する光コネクタ１を複数個、例えば６、８、又は１０個ずつ集約した光スターカプラ２、２、・・・を設けている。本実施の形態１では、光スターカプラ２を４個設けてあり、それぞれ車両前部用、車両左サイド用、車両右サイド用、車両後部用として、複数の車載機器と光コネクタ１、１、・・・を介して接続している。
【００２５】
光スターカプラ２、２、・・・は、主伝送路である主光ファイバケーブル（図中、実線）３、３、・・・を用いて、主中継器である幹線用リピータ５を中心としてスター接続してある。また、副伝送路である副光ファイバケーブル（図中、破線）４、４、・・・を介して、副中継器であるバックアップ用リピータ６を中心としてスター接続してある。
【００２６】
幹線用リピータ５は、主伝送路である主光ファイバケーブル３、３、・・・を介して、光信号の入出力が可能となっている。バックアップ用リピータ６は、副伝送路である副光ファイバケーブル４、４、・・・を介して、光信号の入力のみが可能となっている。したがって、車載機器から送信された光信号は、幹線用リピータ５及びバックアップ用リピータ６へ必ず到達し、幹線用リピータ５を経由した光信号のみが主光ファイバケーブル３、３、・・・を介して所定の宛先へと伝送される。
【００２７】
バックアップ用リピータ６は、経路切替装置６１を内蔵している。図２は本発明の実施の形態１に係る車載用光通信二重化システムにおける経路切替装置６１の構成を示すブロック図である。経路切替装置６１は、ＭＰＵ６１１を備えており、ＭＰＵ６１１とバスを介して接続されているＲＯＭ６１２に処理プログラムを記憶している。また、ＲＡＭ６１３は、書換可能な不揮発性メモリである。
【００２８】
ＭＰＵ６１１は、バスを介して通信インタフェース６１４と接続してあり、バックアップ用リピータ６を経由する光信号を受信する各ポート６２、６２、・・・が通信インタフェース６１４に接続してある。ポート６２、６２、・・・は副伝送路である光ファイバケーブル４を介して光スターカプラ２、２、・・・の光コネクタ１、１、・・・と接続してある。
【００２９】
車載機器が光信号を送信した場合、光コネクタ１を介して光スターカプラ２へ入光し、幹線用リピータ５へは主光ファイバケーブル３を介して、バックアップ用リピータ６へは副光ファイバケーブル４を介して、それぞれ伝送される。したがって、ＭＰＵ６１１は、バックアップ用リピータ６のどのポート６２から受信したか、すなわち、どの光スターカプラ２に備えてある光コネクタ１からの受信光であるのか、容易に特定することができる。
【００３０】
ただし、光スターカプラ２内部では、一の光コネクタ１で受信した光信号は、無作為に他の複数の光コネクタ１、１、・・・から送信されることから、ＭＰＵ６１１は、光スターカプラ２へどの光コネクタ１を介して入光した光信号を受信したのか特定することはできない。
【００３１】
通信インタフェース６１４は、幹線用リピータ５へ供給する電力をＯＮ／ＯＦＦするための信号を送信する電源信号線７と接続してある。ＭＰＵ６１１は、幹線用リピータ５に何らかの障害が発生していると判断した場合、スイッチを切り替えて光信号の入出力可能にするとともに、幹線用リピータ５の電源をＯＦＦにする信号を送信する。スイッチは、トランジスタ回路であっても良いし、リレー回路であっても良く、特に限定されるものではない。幹線用リピータ５は、バックアップ用リピータ６から電源をＯＦＦにする信号を受信した場合、電源からの給電を停止する。
【００３２】
ＭＰＵ６１１は、幹線用リピータ５に障害が発生しているか否かを検知するため、例えば本実施の形態１では、通信インタフェース６１４を介して生存信号交換線８と接続してある。ＭＰＵ６１１は、生存信号交換線８を介して幹線用リピータ５に対して稼動確認信号を一定時間間隔で送信する。稼動確認信号を受信した幹線用リピータ５は、バックアップ用リピータ６に対して応答信号を返信する。ＭＰＵ６１１は、所定の時間内に応答信号を受信するか否かに応じて、幹線用リピータ５に障害が発生しているか否かを判断する。
【００３３】
なお、ネットワークの瞬断等の事由により応答信号を受信できない場合も想定できることから、１回応答信号を受信できなかった場合に幹線用リピータ５に障害が発生していると判断するのではなく、例えば所定回数連続して応答信号を受信できなかった場合に、幹線用リピータ５に障害が発生していると判断する等、判断基準を緩和しておくことが好ましい。
【００３４】
次に、本発明の実施の形態１に係る車載用光通信二重化システムでの経路切替装置６１の処理について説明する。図３は本発明の実施の形態１に係る経路切替装置６１のＭＰＵ６１１の処理手順を示すフローチャートである。
【００３５】
図３に示すように、経路切替装置６１のＭＰＵ６１１は、通信インタフェース６１４を介して、一の光コネクタ１から一の光スターカプラ２へ入光し、他の光コネクタ１からバックアップ用コネクタ６に入光した光信号を受信する(ステップＳ３０１)。ＭＰＵ６１１は、光信号を受信した時点から、計時を０（ゼロ）から開始する（ステップＳ３０２）。
【００３６】
ＭＰＵ６１１は、光信号を受信した時点から経過した時間を読み出し、経過した時間が所定の時間より長いか否かを判断する（ステップＳ３０３）。ＭＰＵ６１１が、経過した時間が所定の時間より短いと判断した場合（ステップＳ３０３：ＮＯ）、ＭＰＵ６１１は、光信号を受信したか否かを判断する（ステップＳ３０４）。ＭＰＵ６１１が、光信号を受信していないと判断した場合（ステップＳ３０４：ＮＯ）、ステップＳ３０３の判断処理へと戻る。ＭＰＵ６１１が、光信号を受信したと判断した場合（ステップＳ３０４：ＹＥＳ）、主光ファイバケーブル３、３、・・・及び幹線用リピータ５は正常に稼動していると判断し、ステップＳ３０２へ戻って上述した処理を繰り返し続行する。
【００３７】
ＭＰＵ６１１が、経過した時間が所定の時間より長いと判断した場合（ステップＳ３０３：ＹＥＳ）、光信号を一定時間受信していないと判断し、主光ファイバケーブル３、３、・・・が断線しているか、又は幹線用リピータ５が故障しているか、のいずれかであると判断できる。
【００３８】
なお、光信号を受信した時点から経過した時間の判断基準は、バックアップ用リピータ６の各ポート６２の標準的な受信間隔であることが好ましく、具体的には５ｍｓ以上１０ｍｓ以下であることが好ましい。すなわち、各ポート６２の標準的な受信間隔の上限である１０ｍｓを経過しても次の光信号を受信しない場合、何らかの通信障害が発生しているものと判断することができる。
【００３９】
ＭＰＵ６１１は、主光ファイバケーブル３、３、・・・が断線しているか、又は幹線用リピータ５が故障しているか、を特定すべく、幹線用リピータ５との間で交換している生存確認信号の送受信状態を確認する。具体的には、ＭＰＵ６１１は、幹線用リピータ５に稼動確認信号を一定時間間隔で送信し（ステップＳ３０５）、稼動確認信号を送信した時点から、計時を０（ゼロ）から開始する（ステップＳ３０６）。ＭＰＵ６１１は、稼動確認信号を送信した時点から経過した時間を読み出し、経過した時間が所定の時間より長いか否かを判断する（ステップＳ３０７）。なお、稼動確認信号を送信する間隔は、上述した各ポート６２の標準的な受信間隔より短いことが好ましい。光信号の受信間隔内に幹線用リピータ５が正常に稼動しているか否かを判断することができるからである。
【００４０】
ＭＰＵ６１１が、経過した時間が所定の時間より短いと判断した場合（ステップＳ３０７：ＮＯ）、ＭＰＵ６１１は、幹線用リピータ５からの応答信号を受信したか否かを判断する（ステップＳ３０８）。ＭＰＵ６１１が、幹線用リピータ５からの応答信号を受信していないと判断した場合（ステップＳ３０８：ＮＯ）、ステップＳ３０７へ戻る。ＭＰＵ６１１が、幹線用リピータ５からの応答信号を受信したと判断した場合（ステップＳ３０８：ＹＥＳ）、幹線用リピータ５は正常に稼動しているものと判断し、主光ファイバケーブルの断線であるものと判断し、バックアップ用リピータ６へ切り替えない。
【００４１】
ＭＰＵ６１１が、経過した時間が所定の時間より長いと判断した場合（ステップＳ３０７：ＹＥＳ）、ＭＰＵ６１１は、幹線用リピータ５からの応答信号を受信できない、すなわち幹線用リピータ５に何らかの障害が発生しているものと判断し、幹線用リピータ５に対して電源ＯＦＦ信号を送信し（ステップＳ３０９）、バックアップ用リピータ６を光信号の入出力可能に切り替える（ステップＳ３１０）。
【００４２】
なお、例えばエンジンＥＣＵ、ステアリングＥＣＵ等の安全上の観点から重要度の高い車載機器と接続してある光コネクタ１、１、・・・を一の光スターカプラ２へ集約して接続してある場合、該光スターカプラ２から幹線用リピータ５までの光ファイバケーブル３への光信号に所定の識別信号を付与して送信する。これにより、ＭＰＵ６１１が付与されている識別信号を確認した場合、ステップＳ３０９へ移行して、幹線用リピータ５を切り替えることが可能となる。
【００４３】
以上のように本実施の形態１によれば、幹線用リピータ５に何らかの障害が発生していると判断した場合、バックアップ用リピータ６を光信号の送受信可能とし、幹線用リピータ５へ電力の供給を停止する。これにより、例えばエアコンＥＣＵ、ドアＥＣＵ等の安全の観点から重要度が低い車載機器と接続してある光スターカプラ２から幹線用リピータ５までの光ファイバケーブル３が断線しただけでは、主伝送路を副伝送路へ切り替えないようにすることができ、幹線用リピータ５自体に障害が発生した場合にのみバックアップ用リピータ６へと切り替えることで伝送路を副伝送路へ切り替えることが可能となる。
【００４４】
なお、複数の車載機器間で、時分割多重型の通信プロトコルを用いて通信する場合、バックアップ用リピータでの光信号の受信間隔が、１フレーム当たりの受信時間間隔の最大値より長いか否かによって、光ファイバケーブルの断線又は幹線用リピータでの障害発生の有無を判定する。すなわち、時分割多重型の通信プロトコルを用いて通信する場合、光信号の送受信が正常に行われているときは、光信号の受信間隔は、１フレーム当たりの受信時間間隔の最大値より長くなることはない。したがって、光信号の受信間隔が、１フレーム当たりの受信時間間隔の最大値より長くなった場合、光ファイバケーブル又はリピータに何らかの障害が発生したと判断することが可能となる。
【００４５】
（実施の形態２）
図４は、本発明の実施の形態２に係る車載用光通信二重化システムの構成の要部を示す部分ブロック図である。本発明の実施の形態２に係る車載用光通信二重化システムでは、エンジンＥＣＵ、ステアリングＥＣＵ等の安全上障害が発生することを可能な限り排除する必要がある車載機器については、光コネクタと接続する通信インタフェースを二重化し、光信号の伝送路を２系統確保するよう構成してある点に特徴を有する。
【００４６】
本発明の実施の形態２に係る車載用光通信二重化システムは、エンジンＥＣＵ４１、ステアリングＥＣＵ４２等の複数の車載機器を接続する光コネクタ１を複数個集約した光スターカプラ２ａと、他の車載機器を接続する光コネクタ１を複数個集約した光スターカプラ２ｂを設けている。
【００４７】
光スターカプラ２ａ、２ｂは、主伝送路である主光ファイバケーブル（図中、実線）３、３、・・・を用いて、主中継器である幹線用リピータ５を中心としてスター接続してある。また、副伝送路である副光ファイバケーブル（図中、破線）４、４、・・・を介して、副中継器であるバックアップ用リピータ６を中心としてスター接続してある。
【００４８】
幹線用リピータ５は、主伝送路である主光ファイバケーブル３、３、・・・を介して、光信号の入出力が可能となっている。バックアップ用リピータ６は、副伝送路である副光ファイバケーブル４、４、・・・を介して、光信号の入力のみが可能となっている。したがって、車載機器から送信された光信号は、幹線用リピータ５及びバックアップ用リピータ６へ必ず到達し、幹線用リピータ５を経由した光信号のみが主光ファイバケーブル３、３、・・・を介して所定の宛先へと伝送される。
【００４９】
バックアップ用リピータ６は、経路切替装置６１を内蔵している。経路切替装置６１の構成及び機能は実施の形態１と同様であることから詳細な説明は省略する。
【００５０】
エンジンＥＣＵ４１は、光コネクタ１と接続する通信インタフェース４１１、４１２を２個設けており、通信インタフェース４１１は主光ファイバケーブル３を介して光スターカプラ２ａの光コネクタ１へ、通信インタフェース４１２は副光ファイバケーブル４を介して光スターカプラ２の光コネクタ１へ、それぞれ接続してある。同様に、ステアリングＥＣＵ４２は、光コネクタ１と接続する通信インタフェース４２１、４２２を２個設けており、通信インタフェース４２１は主光ファイバケーブル３を介して光スターカプラ２ａの光コネクタ１へ、通信インタフェース４２２は副光ファイバケーブル４を介して光スターカプラ２の光コネクタ１へ、それぞれ接続してある。
【００５１】
エンジンＥＣＵ４１、ステアリングＥＣＵ４２等のような安全上の観点から停止することが許容されない車載機器については、通信インタフェース自体を二重化し、異常を検知した場合には主通信インタフェースを副通信インタフェースに切り替える。図５は、本発明の実施の形態２に係る車載用光通信二重化システムで用いるエンジンＥＣＵ４１の処理手順を示すフローチャートである。
【００５２】
図５に示すように、エンジンＥＣＵ４１は、通信インタフェース４１１を介して、光スターカプラ２ａへ入光し、一の光コネクタ１から送信された光信号を受信する(ステップＳ５０１)。エンジンＥＣＵ４１は、光信号を受信した時点から、計時を０（ゼロ）から開始する（ステップＳ５０２）。
【００５３】
エンジンＥＣＵ４１は、光信号を受信した時点から経過した時間を読み出し、経過した時間が所定の時間より長いか否かを判断する（ステップＳ５０３）。エンジンＥＣＵ４１が、経過した時間が所定の時間より短いと判断した場合（ステップＳ５０３：ＮＯ）、エンジンＥＣＵ４１は、光信号を受信したか否かを判断する（ステップＳ５０４）。エンジンＥＣＵ４１が、光信号を受信していないと判断した場合（ステップＳ５０４：ＮＯ）、ステップＳ５０３の判断処理へと戻る。エンジンＥＣＵ４１が、光信号を受信したと判断した場合（ステップＳ５０４：ＹＥＳ）、主光ファイバケーブル３、３、・・・及び幹線用リピータ５は正常に稼動していると判断し、ステップＳ５０２へ戻って上述した処理を繰り返し続行する。
【００５４】
エンジンＥＣＵ４１が、経過した時間が所定の時間より長いと判断した場合（ステップＳ５０３：ＹＥＳ）、光信号を一定時間受信していないと判断し、通信インタフェース４１１を通信インタフェース４１２へ切り替える（ステップＳ５０５）。通信インタフェース４１２へ切り替えた後は、エンジンＥＣＵ４１の動作は、光スターカプラ２ｂからの光信号により制御される。
【００５５】
以上のように本実施の形態２によれば、幹線用リピータ５に何らかの障害が発生していると判断した場合、バックアップ用リピータ６を光信号の送受信可能とし、幹線用リピータ５へ電力の供給を停止する。これにより、例えばエアコンＥＣＵ、ドアＥＣＵ等の安全の観点から重要度が低い車載機器と接続してある光スターカプラ２から幹線用リピータ５までの光ファイバケーブル３が断線しただけでは、主伝送路を副伝送路へ切り替えないようにすることができ、幹線用リピータ５自体に障害が発生した場合にのみバックアップ用リピータ６へと切り替えることで伝送路を副伝送路へ切り替えることが可能となる。
【図面の簡単な説明】
【００５６】
【図１】本発明の実施の形態１に係る車載用光通信二重化システムの構成を示すブロック図である。
【図２】本発明の実施の形態１に係る車載用光通信二重化システムにおける経路切替装置の構成を示すブロック図である。
【図３】本発明の実施の形態１に係る経路切替装置のＭＰＵの処理手順を示すフローチャートである。
【図４】本発明の実施の形態２に係る車載用光通信二重化システムの構成の要部を示す部分ブロック図である。
【図５】本発明の実施の形態２に係る車載用光通信二重化システムで用いるエンジンＥＣＵの処理手順を示すフローチャートである。
【符号の説明】
【００５７】
１  光コネクタ
２、２ａ、２ｂ  光スターカプラ
３  主光ファイバケーブル（主伝送路）
４  副光ファイバケーブル（副伝送路）
５  幹線用リピータ（主中継器）
６  バックアップ用リピータ（副中継器）
７  電源信号線
８  生存信号交換線
４１  エンジンＥＣＵ
４２  ステアリングＥＣＵ
６１  経路切替装置
６２  ポート
４１１、４１２、４２１、４２２  通信インタフェース
【図１】
2006081127.tif 000003
【図２】
2006081127.tif 000004
【図３】
2006081127.tif 000005
【図４】
2006081127.tif 000006
【図５】
2006081127.tif 000007